(57)【特許請求の範囲】
【請求項１】
導糸環と、前記導糸環の左右両側から出て下方に延びる左右一対の側支脚と、前記側支脚の下端に連続し、竿体に取付けられる取付部とを備え、前記導糸環の外周は前記竿体と接さないタイプの釣糸ガイドにおいて、
側方視において、
前記導糸環は竿先側に傾斜し、且つ前記導糸環と前記側支脚との接合角度が、竿先側より竿尻側が小さくなっており、
正面視において、
前記導糸環と前記側支脚との間には釣糸が引掛けられて折り返される引掛け凹部が形成されていない、
ことを特徴とする釣糸ガイド。
【請求項２】
請求項１に記載した釣糸ガイドにおいて、
側方視において、
導糸環は竿先側に１０°以上傾斜していることを特徴とする釣糸ガイド。
【請求項３】
請求項１または２に記載した釣糸ガイドにおいて、
正面視において、
取付部の左側と左側支脚との境界点を始点とし、導糸環の右側の外周上の接点を終点とする右接線と、前記取付部の右側と右側支脚との境界点を始点とし、前記導糸環の左側の外周上の接点を終点とする左接線とにより囲まれた領域を基準として、
前記左側支脚の外側輪郭線を、前記領域の左側輪郭線上またはそれより外方に位置し、かつ、前記右側支脚の外側輪郭線を、前記領域の右側輪郭線上またはそれより外方に位置していることを特徴とする釣糸ガイド。
【請求項４】
請求項１から３のいずれかに記載した釣糸ガイドにおいて、
側方視において、
導糸環と側支脚との接合角度が、竿尻側で１７５°以下であることを特徴とする釣糸ガイド。
【請求項５】
請求項１から４のいずれかに記載した釣糸ガイドにおいて、
側方視において、
前記導糸環の竿先側への傾斜角度は２５°以下であることを特徴とする釣糸ガイド。
【請求項６】
請求項１から５のいずれかに記載した釣糸ガイドにおいて、
側支脚は竿尻側に膨出するように湾曲したフレームにより形成されていることを特徴とする釣糸ガイド。
【請求項７】
請求項１から６のいずれかに記載した釣糸ガイドを装着した釣竿。
【発明の詳細な説明】
【技術分野】
【０００１】
本発明は、外通し用釣糸ガイドおよび釣竿に関するものである。
【背景技術】
【０００２】
近年は、釣糸としてＰＥライン（超高分子量ポリエチレン製マルチフィラメントライン）が販売されているが、このＰＥラインは、従来からあるナイロンラインやフロロカーボンラインに比べて強度が格段に高く、釣糸の主流となりつつある。しかしながら従来からあるモノフィラメントラインと異なり、所謂ブレイデッドラインであるため、張りがなく格段にしなやかな為、従来の釣糸より糸絡みが発生し易くなっており、何らかの糸絡み防止策が求められている。
【０００３】
而して、糸絡みは釣りの様々な場面で発生し、釣糸ガイドの導糸環を通過した釣糸が「糸ふけ」などの原因により、当該導糸環の後側に回りこみ、釣糸ガイドに巻き締まって糸絡みとなる典型的な場合の他にも、キャスト直後には、導糸環を通過する前の釣糸が当該釣糸ガイドに巻き締まって糸絡みとなる場合がある。
【０００４】
後者について、図１３に示す直立タイプの釣糸ガイド１０１が装着された釣竿を例にして詳細に説明する。キャストの瞬間には、図１３（１）に示すように、リールのスプールに巻かれていない直線状の釣糸が導糸環１０３を問題なく通過していき、続いて図１３（２）に示すようにスプールから解かれて引き出された螺旋状の釣糸が導糸環１０３にチョークされてほぼ直線状になって通過していく。しかし、チョークがスムーズに行われないと、通過中の釣糸の速度が落ち、導糸環１０３の後方に螺旋状の釣糸が溜まり始める。そして、ある程度の量を超えて溜まると、図１３（３）に示すように、今度は螺旋状の釣糸が導糸環１０３の一方側から溢れて前方に出てくる。そのような状態のときに、図１３（４）に示すように、適当な風（この場合には左側からの風）を受けてその溢れ出た螺旋状の釣糸が他方側に誘導されると、通過後の釣糸と釣糸ガイド１０１との間に入り込み、さらに、図１３（５）に示すように、導糸環１０３に被さってしまう場合がある。後続の釣糸の速度は直ぐに落ちてくるので、上記のように被さった釣糸は竿尻側に引き戻され導糸環１０３を通過しながら竿先側に進んでいくことになるが、その引き戻しの際、被さり度合いが小さければ導糸環１０３の外周を滑って解けていく。しかしながら、図１３（６）に示すように、被さり度合いが大きいと導糸環１０３に巻き締まって糸絡みとなる。
【０００５】
糸絡みを解消するために、従来から釣糸ガイドの一対の側支脚を竿先側に傾斜させることが提案されている。仕掛けを投げるように竿体を適度に振ると、釣糸ガイドに巻き付いた釣糸は当該傾斜面をスムーズに滑り上って終いには竿先側から上方に抜けていって、糸絡みは解消されると考えられたからである。
【０００６】
【特許文献１】特開２０００−２５３７７８号公報
【発明の開示】
【発明が解決しようとする課題】
【０００７】
しかしながら、所謂シングルフットガイドの場合、側支脚の竿先側への傾斜度合いが大きくなるほど糸絡みは解消され易くなるが、その一方で側支脚の付け根から導糸環の頂部までの距離が長くなるので、支脚の付根にかかる曲げモーメントが大きくなり、釣糸ガイドの変形が起こり易くなる。
また、釣糸ガイドは、通常、剛性の大きい材料（例えば、ステンレス鋼）により形成されているため、釣糸ガイドが取り付けられている竿体部分は剛性になる。従って、釣糸ガイドの変形を回避するために前支脚を設けると、前後の取付部間の剛性はさらに高くなり、側支脚の竿先側への傾斜度合を大きくすればする程、竿体全体の滑らかな撓みが得られ難くなる。また、重量が増して、持ち重り感が出てくる。
【０００８】
それ故、本発明は、上記課題を解決するために、側支脚の竿先側への傾斜度合いを従来品より小さくしても、従来品と同様な糸絡み防止効果を図れる、新規な形状の釣糸ガイドを提供することを目的とする。
【課題を解決するための手段】
【０００９】
上記課題を達成するために、請求項１の発明は、導糸環と、前記導糸環の左右両側から出て下方に延びる左右一対の側支脚と、前記側支脚の下端に連続し、竿体に取付けられる取付部とを備え、前記導糸環の外周は前記竿体と接さないタイプの釣糸ガイドにおいて、側方視において、前記導糸環は竿先側に傾斜し、且つ前記導糸環と前記側支脚との接合角度が、竿先側より竿尻側が小さくなっており、正面視において、前記導糸環と前記側支脚との間には釣糸が引掛けられて折り返される引掛け凹部が形成されていない、ことを特徴とする釣糸ガイドである。
【００１０】
請求項２の発明は、請求項１に記載した釣糸ガイドにおいて、側方視において、導糸環は竿先側に１０°以上傾斜していることを特徴とする釣糸ガイドである。
【００１１】
請求項３の発明は、請求項１または２に記載した釣糸ガイドにおいて、正面視において、取付部の左側と左側支脚との境界点を始点とし、導糸環の右側の外周上の接点を終点とする右接線と、前記取付部の右側と右側支脚との境界点を始点とし、前記導糸環の左側の外周上の接点を終点とする左接線とにより囲まれた領域を基準として、前記左側支脚の外側輪郭線を、前記領域の左側輪郭線上またはそれより外方に位置し、かつ、前記右側支脚の外側輪郭線を、前記領域の右側輪郭線上またはそれより外方に位置していることを特徴とする釣糸ガイドである。
【００１２】
請求項４の発明は、請求項１から３のいずれかに記載した釣糸ガイドにおいて、側方視において、導糸環と側支脚との接合角度が、竿尻側で１７５°以下であることを特徴とする釣糸ガイドである。
【００１３】
請求項５の発明は、請求項１から４のいずれかに記載した釣糸ガイドにおいて、側方視において、前記導糸環の竿先側への傾斜角度は２５°以下であることを特徴とする釣糸ガイドである。
【００１４】
請求項６の発明は、請求項１から５のいずれかに記載した釣糸ガイドにおいて、側支脚は竿尻側に膨出するように湾曲したフレームにより形成されていることを特徴とする釣糸ガイドである。
【００１５】
請求項７の発明は、請求項１から６のいずれかに記載した釣糸ガイドを装着した釣竿である。
【発明の効果】
【００１６】
本発明の釣糸ガイドは、糸絡み防止タイプでありながら、従来品より側支脚の竿先側への傾斜度合いが小さくなっている。従って、強度維持を図ると共に釣竿の調子や使用感も損ねずに、糸絡みも解消できる。
【発明を実施するための最良の形態】
【００１７】
本発明の第１の実施の形態に係る釣糸ガイド１を、図１〜図１３に従って説明する。
先ず、釣糸ガイド１の全体形状を概略的に説明する。
図１に示すように、釣糸ガイド１は１枚の金属製の平面的な板状材から一体的にフレーム状に形成されている。先ずプレス加工により所定のフレーム形状に打ち抜かれ、更に曲げ加工が施されて所定の立体形状に成形されており、導糸環３と、一対の側支脚９、１１と、取付部１３とを備える。
導糸環３は保持環５とそれに内嵌されたガイドリング７とで構成されている。保持環５の内周は略真円形をしており、その内周面には、真円状のガイドリング７が内嵌されている。ガイドリング７は、セラミック等の耐磨耗性に優れた硬質材料で形成されている。
【００１８】
一対の側支脚９、１１は、バランスを考慮して対称形状をなしている。側支脚９、１１は、それぞれ保持環５の竿尻側の左右両側から竿体（ｒ）に向かって延び出て、適当な高さで合流し、その下端は取付部１３に連続している。
取付部１３は、図示省略するが、後側に先細りの舌片形状をなしており、竿体（ｒ）の外表面に竿軸に略平行に配向した状態で当接している。取付部１３は固定糸が巻き付けられて竿体（ｒ）に取り付けられている。
【００１９】
次に、釣糸ガイド１の各部の形状や各部どうしの位置関係について、詳細に説明する。
先ず、側面図（図２）に基づいて、側方視形状について説明する。
説明の便宜のため、釣糸ガイド１が竿体（ｒ）の上方に配置されている。
（側方視条件１）
導糸環３は竿先側に傾斜している。
導糸環３が釣糸（Ｓ）の引かれる方向に対して傾斜している釣糸ガイド１が装着された、竿体（ｒ）を振って仕掛けを投げた場合、糸絡みが発生しても、釣糸（Ｓ）は矢印に示すように竿先側に向かって（Ｔ）の力で引かれている為、導糸環３に対して上方向への引上げ分力（Ｔ１）が生じる。今回の発明では、この引上げ分力（Ｔ１）による釣糸（Ｓ）の摺動が糸絡みの解消に利用されている。
釣糸（Ｓ）の実際の摺動には導糸環３の表面性状にも影響されるが、現在市販されている釣糸ガイドの素材や加工技術を用いてこの釣糸ガイド１を製造した場合には、ガイドリング７が竿先側に１０°（α）以上傾斜している場合に、必要な大きさの引上げ分力（Ｔ１）が得られることが確認されている。
但し、一般的なスピニングリールではスプールが竿面より比較的上方にあるので、釣糸（Ｓ）を竿面に近づけるために、そのスプールが竿面に対して４〜５°程度傾斜している。そのため、当該スプールから引き出された直後の釣糸（Ｓ）は４〜５°程度竿先側に向かって傾斜している。従って、釣糸ガイド１が当該スピニングリールに近い部分の竿体（ｒ）に装着される場合には、釣糸（Ｓ）の傾斜角度を考慮して、導糸環３の傾斜角度（θ１）が１５°以上に設定されることが好ましい。
【００２０】
導糸環３の傾斜角度（θ１）は、２５°以下に設定されるのが好ましく、この釣糸ガイド１では、導糸環３の傾斜角度（θ１）は、２５°以下に設定されている。
竿尻でも竿先でも竿軸方向から見たときに、導糸環３が傾斜すると内嵌されたガイドリング７の挿通穴の真円形の縦方向が縮まって見掛け上長円形になり、釣糸（Ｓ）の挿通範囲が狭まることになるので、釣糸（Ｓ）の摩擦抵抗が大きくなる。従って、ガイドリング７が内嵌された導糸環３の傾斜角度（θ１）を２５°以下に収めることで、製造の容易な真円形のガイドリング７を用いても、上記した摩擦抵抗の問題の有意的な顕在化を阻止させたガイド設計をすることが出来る。
また、導糸環３の傾斜角度（θ１）が２５°を超えると、後で詳述するが、導糸環３と側支脚９、１１との接合角度に関する設定条件との関係で釣糸ガイド１の変形の問題が顕在化する可能性が出てくることからも、導糸環３の傾斜角度（θ１）が２５°以下に設定されることが好ましい。
【００２１】
（側方視条件２）
導糸環３と側支脚９、１１との接合角度が、竿先側より竿尻側が小さくなるよう設定される。すなわち、竿尻側の接合角度（θ２）が１８０°未満に設定される。上限方向からは１７５°以下に設定されるのが好ましく、この釣糸ガイド１では、１７５°以下に設定されている。
これにより、特にガイドリング７を通過する前の釣糸（Ｓ）が上記したような経緯で当該釣糸ガイド１に巻き締まって糸絡みとなった場合にも、後で詳述するが（図４）中の折返し部位（Ａ）が上手く移動して糸絡みを解消できる。竿尻側の接合角度（θ２）が１７５°以下に設定されれば、糸絡みが一層確実に解消されるので好ましい。
一方、竿尻側の接合角度（θ２）は側支脚形状が直線状の場合１５０°以上に設定されるのが好ましい。１５０°以下になると、側支脚９、１１が倒れ過ぎ、釣糸ガイド１の変形の問題が有意的に顕在化する可能性があるからである。
但し、図１１に示す様に側支脚を竿尻側に膨出させた場合はその限りではない。
【００２２】
次に、正面図（図３）に基づいて、（竿尻側から見た）正面視形状について説明する。
（正面視条件）
保持環５と側支脚９、１１との間には釣糸（Ｓ）が引掛けられて折り返される引掛け凹部が形成されていない。
具体的な形状で説明すると、取付部１３の左側と左側支脚９との外側輪郭線上の境界点（Ｐ１）を始点とし、保持環５の右側輪郭線の外周上の接点を終点とする右接線（Ｌ１）と、取付部１３の右側と右側支脚１１との外側輪郭線上の境界点（Ｐ２）を始点とし、保持環５の左側輪郭線の外周上の接点を終点とする左接線（Ｌ２）を描く。そして、右接線（Ｌ１）と左接線（Ｌ２）とより左右が囲まれたグレー領域（Ｘ）を想定する。グレー領域（Ｘ）の左側輪郭線は、右接線（Ｌ１）と左接線（Ｌ２）の交点より上では、左接線（Ｌ２）であり、同交点より下では右接線（Ｌ１）になる。同様に、グレー領域Ｘの右側輪郭線は、右接線（Ｌ１）と左接線（Ｌ２）の交点より上では、右接線（Ｌ１）であり、同交点より下では左接線になる。
【００２３】
左側支脚９の外側輪郭線１０は、グレー領域（Ｘ）の左側輪郭線上またはそれより外方に位置し、かつ、右側支脚１１の外側輪郭線１２は、グレー領域（Ｘ）の右側輪郭線上またはそれより外方に位置している。
これにより、特にガイドリング７を通過する前の釣糸（Ｓ）が上記したような経緯で当該釣糸ガイド１に巻き締まって糸絡みとなった場合にも、後で詳述するが（図４）中の折返し部位（Ａ）が上手く移動して糸絡みを解消できる。
なお、上記の糸絡みでは、リールスプールへの釣糸の巻き方向により、導糸環３への巻付き部分（ｓ１）が左右いずれかに振り分けられるが、グレー領域（Ｘ）に関係する設定条件は巻付き部分（ｓ１）の部位に関係している。従って、巻付き部分（ｓ１）の部位がある側が、グレー領域（Ｘ）のいずれかの輪郭線またはそれより外方にあれば足りるが、スピニングリールの巻き方向が一定でない為、「かつ」の条件を満足するように設定されている。
【００２４】
次に、釣糸ガイド１に、ガイドリング７を通過する前の釣糸（Ｓ）が上記したような経緯で当該釣糸ガイド１に巻き締まって糸絡みとなった場合の糸絡みの解消メカニズムを、図４、５に従って説明する。
視認の便宜のために、各段階で、釣糸ガイド１を竿尻側からの正面視、側方視、斜視したものが描かれている。
竿体（ｒ）を振り、仕掛けを投げると、釣糸（Ｓ）が竿先側に向かって引かれる。すなわち、矢印の方向に引き力（テンション）（Ｔ）が掛けられる。従って、釣糸ガイド１に巻き締まって糸絡みとなった釣糸（Ｓ）のうち、導糸環３に巻き付いた巻付き部分（ｓ１）が、引上げ分力（Ｔ１）を受けて、図４（１）の矢印に示すように釣糸（Ｓ）が竿先側に引き出されることで巻付き部分（ｓ１）は、導糸環３頂部に向かって保持環５上を摺動しながら引き上げられていく。
巻付き部分（ｓ１）には、その手前側に保持環５や右側支脚１１で折り返されて釣糸ガイド１の竿尻側面に架け渡され更に左側支脚９で折り返される後続部分（ｓ２）があるが、図４（２）の矢印に示すように、この後続部分（ｓ２）も巻付き部分（ｓ１）の移動に従って引き上げられる。その際、引き力（Ｔ）が掛けられているため、後続部分（ｓ２）は最短距離を通って再び竿先側に戻ろうとする。従って、巻付き部分（ｓ１）に近い方の右側の折返し部位（Ａ）（○で囲んで図示してある）は常に巻付き部分（ｓ１）の近傍位置を保ちながら摺動して引き上げられる。
【００２５】
図４（３）の矢印に示すように、巻付き部分（ｓ１）が導糸環３の頂部またはその付近に到達すると、後続部分（ｓ２）の折返し部位（Ａ）は巻付き部分（ｓ１）を乗り越えて左側に向かう。そして、図５（４）に示すように、後続部分（ｓ２）は保持環５の頂部と左側部との間から竿先側に向かって抜け出ていく。次に、今度は、図５（５）の矢印に示すように、その抜出し部分（ｓ３）が竿尻側に引き出されてから挿通穴を通過していき、図５（６）に示すように、終いには保持環５の頂部と右側部との間から竿尻側に抜けていき、巻付き部分（ｓ１）共々挿通穴を通過して進んでいく。
上記のようにして糸絡みが解消される。
【００２６】
これに対して、図６の釣糸ガイド２１のように、導糸環３と右側支脚１１との間には釣糸Ｓが引掛けられて折り返される引掛け凹部２３が形成されている場合、具体的には、右側支脚１１の外側輪郭線１２’がグレー領域（Ｘ）の右側輪郭線より内方に位置している場合には、以下の状態に陥る。
釣糸ガイド１であれば、釣糸（Ｓ）が図４（１）から図４（２）に遷移するのに対して、上記のように設定されている釣糸ガイド２１の場合には、図６（１）から図６（２）に示すように遷移する。すなわち、巻付き部分（ｓ１）の摺動に伴って、後続部分（ｓ２）も引き上げられるが、その折返し部位（Ａ）は引掛け凹部２３に引っ掛けられてそこに留め置かれることになり、巻付き部分（ｓ１）と共に引き上げられない。従って、糸絡みは解消されない。
【００２７】
また、図７の釣糸ガイド３１のように、導糸環３と右側支脚１１との接合角度が竿先側より竿尻側が大きくなっている場合には、後続部分（ｓ２）が最短距離を通って再び竿先側に戻ろうとするため、右側の折返し部位（Ａ）は左側の折返し部位（Ｂ）の近傍位置を保とうとする。従って、右側の折返し部位（Ａ）は、巻付き部分（ｓ１）と共に引き上げられず、糸絡みは解消されない。
図８の釣糸ガイド４１のように、導糸環３と右側支脚１１との接合角度が竿先側と竿尻側で同じになっていると、上記のような現象が起こる場合と起こらない場合とがあり、糸絡みを防止するという目的を十分に達成する事ができない。
【００２８】
上記で比較説明したように、本実施の形態に係る釣糸ガイド１では、釣糸（Ｓ）がガイドリング７を挿通する前に発生する複雑な糸絡みがスムーズに解消される。
また、所謂「糸ふけ」による糸絡みの場合にも、上記した引上げ分力（Ｔ１）を利用して、竿尻側に回り込んだ釣糸（Ｓ）が引き上げられるのでスムーズに解消される。
【００２９】
第２の実施の形態に係る釣糸ガイド５１について、図９の正面図に従って説明する。第１の実施の形態に係る釣糸ガイド１とは、側支脚５３、５５がさらに外方に膨出したフレームによって形成されている点が異なる。
このように膨出すると、釣糸（Ｓ）の引き上げが一層スムーズになるので、糸絡みが一層速やかに解消される。
【００３０】
第３の実施の形態に係る釣糸ガイド６１について、図１０の側面図および正面図に従って説明する。第１の実施の形態に係る釣糸ガイド１とは、前支脚（竿先側支脚）６３が備えられている点が異なる。この釣糸ガイド６１は所謂ダブル・フットに属するものである。
前支脚６３の存在は、糸絡み時における釣糸（Ｓ）の移動軌道に実質的な影響は与えない。従って、この釣糸ガイド６１も、釣糸ガイド１と同様の糸絡み解消効果が得られる。しかも、前支脚６３が備えられることで、釣糸ガイド６１が変形し難くなっている。また、従来の傾斜タイプの釣竿ガイドより側支脚９、１１は立ち上がっているので、前支脚６３が備えられても、竿体（ｒ）への取付け長さは従来品より短く抑えることができ、竿体全体の撓み性を有意的に損なうことが少ない。
【００３１】
第４の実施の形態に係る釣糸ガイド７１について図１１の側面図および正面図に従って説明する。第２の実施の形態に係るガイド５１とは、側支脚７３，７５のフレームが竿尻側に膨出するように湾曲している点が主に異なる。
このように設定されることで、導糸環との竿尻側の接合角度が１５０°以下になっても、各側支脚７３，７５の端部間の前後距離（ｄ）を短くすることができ、釣糸ガイド７１が変形し難くなる。
【００３２】
第５、６の実施の形態に係る釣糸ガイド８１、９１について、図１２の斜視図に従って説明する。これらの釣糸ガイド８１、９１は、取付部８３、９３が環状（所謂スリップ・オン）になっている。このような形状の取付部８３、９３でも、上記した側方視および正面視における形状の条件を満足する限りは、第１の実施の形態に係る釣糸ガイド１と同様の効果が得られる。
【００３３】
以上、本発明の実施の形態を説明したが、本発明の具体的構成は上記の実施の形態に限定されるものではなく、本発明の要旨から外れない範囲での設計変更があっても本発明に含まれる。
例えば、釣糸の導糸環は保持環の内周面に別部材である硬質のガイドリングが内嵌めされたものになっているが、所望の強度・硬度・耐摩耗性が確保されるものであれば、単一部材で構成してもよい。
本発明は所謂ハイ・フットの場合にはより有用であるが、これに限定されるわけではない。
いずれにしても、特許請求されている事項を除いては、従来からあるまたは将来案出される形状や素材や製造方法を任意に組み合わせることができる。
【産業上の利用可能性】
【００３４】
本発明の釣糸ガイドを装着した釣竿を使用すれば、ＰＥラインを使用しても、糸絡みが防止され、強度も確保されしかも釣竿の調子や使用感も損ねない。
従って、釣人が待ちに待っていた商品である。
【図面の簡単な説明】
【００３５】
【図１】本発明の第１の実施の形態に係る釣竿ガイドの斜視図である。
【図２】図１の釣糸ガイドの側面図である。
【図３】図１の釣竿ガイドの正面図である。
【図４】図１の釣糸ガイドの糸絡み解消メカニズムの説明図である。
【図５】図１の釣糸ガイドの糸絡み解消メカニズムの説明図である。
【図６】比較品（釣糸ガイド）の糸絡み問題の説明図である。
【図７】比較品（釣糸ガイド）の糸絡み問題の説明図である。
【図８】比較品（釣糸ガイド）の糸絡み問題の説明図である。
【図９】本発明の第２の実施の形態に係る釣竿ガイドの正面図である
【図１０】本発明の第３の実施の形態に係る釣糸ガイドの側面図及び正面図である。
【図１１】本発明の第４の実施の形態に係る釣糸ガイドの側面図及び正面図である。
【図１２】本発明の第５、６の実施の形態に係る釣糸ガイドの斜視図である。
【図１３】糸絡みの発生メカニズムの説明図である。
【符号の説明】
【００３６】
１‥‥釣糸ガイド（第１の実施の形態）
３‥‥導糸環                              ５‥‥保持環
７‥‥ガイドリング                        ９、１１‥‥側支脚
１０、１２‥‥外側輪郭線                  １３‥‥取付部
５１‥‥釣糸ガイド（第２の実施の形態）    ５３、５５‥‥側支脚
６１‥‥釣糸ガイド（第３の実施の形態）    ６３‥‥前支脚
７１‥‥釣糸ガイド（第４の実施の形態）    ７３、７５‥‥側支脚
８１‥‥釣糸ガイド（第５の実施の形態）    ８３‥‥取付部
９１‥‥釣糸ガイド（第６の実施の形態）    ９３‥‥取付部
ｒ‥‥竿体
Ｓ‥‥釣糸                              ｓ１‥‥巻付き部分
ｓ２‥‥後続部分                          ｓ３‥‥抜出し部分
Ａ‥‥右側の折返し部位                    Ｂ‥‥左側の折返し部位
Ｔ‥‥引き力                            Ｔ１‥‥引上げ分力
θ１‥‥導糸環の傾斜角度
θ２‥‥竿尻側の導糸環と側支脚との接合角度
Ｐ１‥‥取付部の左側と左側支脚との外側輪郭線上の境界点
Ｐ２‥‥取付部の右側と右側支脚との外側輪郭線上の境界点
Ｌ１‥‥右接線                            Ｌ２‥‥左接線
Ｘ‥‥グレー領域
【図１】
0004755670.tif 000002
【図２】
0004755670.tif 000003
【図４】
0004755670.tif 000004
【図５】
0004755670.tif 000005
【図７】
0004755670.tif 000006
【図８】
0004755670.tif 000007
【図１０】
0004755670.tif 000008
【図１１】
0004755670.tif 000009
【図１２】
0004755670.tif 000010
【図１３】
0004755670.tif 000011
【図３】
0004755670.tif 000012
【図６】
0004755670.tif 000013
【図９】
0004755670.tif 000014